(57)【要約】【課題】  台間カード処理装置内にまだ価値が残っている遊技カードがある状態で、隣の遊技客が間違って遊技カードが挿入された場合に、間違って挿入された遊技カードを挿入された状態の残額のまま排出することができる遊技媒体貸出システムおよび遊技媒体貸出方法を提供する。【解決手段】  収納されている遊技カードに関連付けられた価値を分割する価値分割情報を入力する操作部２１０と、操作部２１０より入力された分割価値情報に基づき遊技カードの価値を分割する制御部２０２と、分割された一方の価値が価値付けされた遊技カードを残すカード処理部２０３と、該分割された他方の価値が価値付けされた遊技カードを排出するカード挿入／排出口２０８とを具備するように台間カード処理装置２００を構成する。【選択図】  図２
2007209677.tif 000002
【特許請求の範囲】
【請求項１】
価値を関連付けられた記憶媒体の挿入もしくは現金投入により予め蓄積収納されている記録媒体に価値を関連付け、該記録媒体に関連付けられた価値に基づき遊技媒体の貸出処理を行う記録媒体処理装置を有する遊技媒体貸出システムにおいて、
前記遊技用記録媒体に関連付けられた価値を分割する価値分割情報を入力する入力手段と、
前記入力手段により入力された価値分割情報に基づき前記記録媒体に関連付けられた価値を分割する分割手段と、
前記分割手段で分割された一方の価値が関連付けられた記録媒体を前記記録媒体処理装置内に残し、該分割された他方の価値が関連付けられた記録媒体を排出する記録媒体排出手段と
を具備することを特徴とする遊技媒体貸出システム。
【請求項２】
前記入力手段は、
前記投入された現金の金額の範囲内で前記装置内に残す記録媒体に関連付ける価値を入力し、
前記分割手段は、
前記記録媒体に関連付けられた価値を前記投入された現金の金額から前記入力手段で入力された金額を差し引いた金額に対応する第１の価値と残りの第２の価値に分割し、
前記記録媒体排出手段は、
前記第２の価値が関連付けられた記録媒体を装置内に残し、前記第１の価値が関連付けられた記録媒体を排出する
ことを特徴とする請求項１記載の遊技媒体貸出システム。
【請求項３】
前記入力手段は、
前記投入された現金の金額の範囲内で前記記録媒体排出手段により排出する記録媒体に関連付ける価値を入力し、
前記分割手段は、
前記記録媒体に関連付けられた価値を前記入力手段で入力された金額に対応する第１の価値と残りの第２の価値に分割し、
前記記録媒体排出手段は、
前記第２の価値が関連付けられた記録媒体を装置内に残し、前記第１の価値が関連付けられた記録媒体を排出する
ことを特徴とする請求項１記載の遊技媒体貸出システム。
【請求項４】
前記入力手段は、
挿入された前記記録媒体に関連付けられた価値の範囲内で、前記装置内に残す記録媒体に関連付ける価値を入力し、
前記分割手段は、
前記記録媒体に関連付けられた価値を、該価値に対応する金額から前記入力手段で入力された金額を差し引いた金額に対応する第１の価値と残りの第２の価値に分割し、
前記記録媒体排出手段は、
前記第２の価値が関連付けられた記録媒体を装置内に残し、前記第１の価値が関連付けられた記録媒体を排出する
ことを特徴とする請求項１記載の遊技媒体貸出システム。
【請求項５】
前記入力手段は、
挿入された前記記録媒体に関連付けられた価値の範囲内で、前記記録媒体排出手段により排出する記録媒体に関連付ける価値を入力し、
前記分割手段は、
前記記録媒体に関連付けられた価値を、前記入力手段で入力された金額に対応する第１の価値と残りの第２の価値に分割し、
前記記録媒体排出手段は、
前記第２の価値が関連付けられた記録媒体を装置内に残し、前記第１の価値が関連付けられた記録媒体を排出する
ことを特徴とする請求項１記載の遊技媒体貸出システム。
【請求項６】
第１の関連付けられた価値を有する第１の記録媒体が前記装置内にある状態で第２の関連付けられた価値を有する第２の記録媒体が挿入された場合、前記第１の関連付けられた価値の前記第２の記録媒体への移行処理の取消を指示する取消手段
を更に具備し、
前記取消手段により前記第１の関連付けられた価値の前記第２の記録媒体への移行処理の取消が指示された場合は、前記第１の関連付けられた価値を前記第２の記録媒体へ移行することなく前記第２の関連付けられた価値を有する第２の記録媒体を返却する
ことを特徴とする請求項１乃至５のいずれかに記載の遊技媒体貸出システム。
【請求項７】
第１の関連付けられた価値を有する第１の記録媒体が前記装置内にある状態で第２の関連付けられた価値を有する第２の記録媒体が挿入された場合、前記第１の関連付けられた価値の前記第２の記録媒体への移行処理を行うか否かの確認表示を行う確認表示手段と
を更に具備し、
前記確認表示手段による確認表示に対して前記第１の関連付けられた価値の前記第２の記録媒体への移行処理が選択された場合は、前記第１の関連付けられた価値の前記第２の記録媒体への移行処理を実行し、前記第１の関連付けられた価値の前記第２の記録媒体への移行処理の取消が選択された場合は、前記第１の関連付けられた価値を前記第２の記録媒体へ移行することなく前記第２の関連付けられた価値を有する第２の記録媒体を返却する
ことを特徴とする請求項１乃至５のいずれかに記載の遊技媒体貸出システム。
【請求項８】
価値を関連付けられた記憶媒体の挿入もしくは現金投入により予め蓄積収納されている記録媒体に価値を関連付け、該記録媒体に関連付けられた価値に基づき遊技媒体の貸出処理を行う記録媒体処理装置による遊技媒体貸出方法において、
前記遊技用記録媒体に関連付けられた価値を分割する価値分割情報を入力手段により入力し、
前記入力手段により入力された価値分割情報に基づき前記記録媒体に関連付けられた価値を分割手段により分割し、
前記分割手段で分割された一方の価値が関連付けられた記録媒体を前記記録媒体処理装置内に残し、該分割された他方の価値が関連付けられた記録媒体を記録媒体排出手段により排出する
ことを特徴とする遊技媒体貸出方法。
【発明の詳細な説明】
【技術分野】
【０００１】
本発明は、遊技カードの情報を管理するターミナルコントローラと連携して、遊技カードの価値付けや接続されている遊技台に対して遊技媒体の貸し出しを行う遊技媒体貸出システムおよび遊技媒体貸出方法に関し、特に、台間カード処理装置内にまだ価値が残っている遊技カードがある状態で、隣の遊技客が間違って遊技カードが挿入された場合に、間違って挿入された遊技カードを挿入された状態の残額のまま排出することができる遊技媒体貸出システムおよび遊技媒体貸出方法に関する。
【背景技術】
【０００２】
従来より遊技媒体を貸し出して遊技を行わせる遊技場が存在する。
【０００３】
この遊技場においては、遊技台に隣接している台間カード処理装置に遊技客が遊技カードを挿入することによって、複数の台間カード処理装置を統括管理しているターミナルコントローラと遊技カードが挿入された台間カード処理装置とが連携して遊技媒体の貸し出し処理が行われる。
【０００４】
すなわち、挿入される遊技カードの番号を台間カード処理装置が確認すると、台間カード処理装置からは挿入された遊技カードの番号がターミナルコントローラに送られ、また、ターミナルコントローラからは、ターミナルコントローラ内で管理している、台間カード処理装置から送られたカード番号の残額の情報が台間カード処理装置に送信されて、台間カード処理装置内で挿入された遊技カードの残額の範囲内で遊技媒体の貸し出しが行われる。
【０００５】
遊技媒体貸出システムにおいては、特許文献１に遊技台と台間カード処理装置とターミナルコントローラによって構築される管理システムにおいて、新たな貨幣の投入による価値情報の追加を迅速かつ効率良く行うことができる記録媒体処理装置、遊技媒体貸出システム、価値追加方法およびプログラムが提案されている。
【０００６】
また、開発中の技術として台間カード処理装置内部に蓄積する遊技カードを複数枚蓄積可能な状態にして、装置内部に残額のある遊技カードが存在する状態から追加の遊技カードが挿入された場合に追加の遊技カードの価値を装置内にあった遊技カードにまとめて一枚の遊技カードに遊技カードの価値を移行する処理が行われる台間カード処理装置がある。  
【特許文献１】特開２００３−１０５２５号公報
【発明の開示】
【発明が解決しようとする課題】
【０００７】
しかし、このような台間カード処理装置に追加の遊技カードが挿入された場合には、自動的に一枚の遊技カードに価値が移行されてしまい、例えば隣の遊技客が間違って遊技カードを挿入した場合には、装置内部で価値が移行される処理が行われて、誤って挿入された遊技カードを取り戻すことができない。
【０００８】
一般に台間カード処理装置は遊技台の両脇に配置されているので、どちらの台間カード処理装置が自分が使用している遊技台専用の台間カード処理装置であるのか分からない遊技客も多く、隣の遊技客から間違って遊技カードが追加挿入されるケースは多く見られる。
【０００９】
よって、この発明は、台間カード処理装置内にまだ価値が残っている遊技カードがある状態で、間違って遊技カードが挿入された場合に、間違って挿入された遊技カードを挿入された状態の残額のまま排出することができる遊技媒体貸出システムおよび遊技媒体貸出方法を提供することを目的とする。
【課題を解決するための手段】
【００１０】
上記目的を達成する為に、請求項１の発明は、価値を関連付けられた記憶媒体の挿入もしくは現金投入により予め蓄積収納されている記録媒体に価値を関連付け、該記録媒体に関連付けられた価値に基づき遊技媒体の貸出処理を行う記録媒体処理装置を有する遊技媒体貸出システムにおいて、前記遊技用記録媒体に関連付けられた価値を分割する価値分割情報を入力する入力手段と、前記入力手段により入力された価値分割情報に基づき前記記録媒体に関連付けられた価値を分割する分割手段と、前記分割手段で分割された一方の価値が関連付けられた記録媒体を前記記録媒体処理装置内に残し、該分割された他方の価値が関連付けられた記録媒体を排出する記録媒体排出手段とを具備することを特徴とする。  また、請求項２の発明は、請求項１の発明において、前記入力手段は、前記投入された現金の金額の範囲内で前記装置内に残す記録媒体に関連付ける価値を入力し、前記分割手段は、前記記録媒体に関連付けられた価値を前記投入された現金の金額から前記入力手段で入力された金額を差し引いた金額に対応する第１の価値と残りの第２の価値に分割し、前記記録媒体排出手段は、前記第２の価値が関連付けられた記録媒体を装置内に残し、前記第１の価値が関連付けられた記録媒体を排出することを特徴とする。
【００１１】
また、請求項３の発明は、請求項１の発明において、前記入力手段は、前記投入された現金の金額の範囲内で前記記録媒体排出手段により排出する記録媒体に関連付ける価値を入力し、前記分割手段は、前記記録媒体に関連付けられた価値を前記入力手段で入力された金額に対応する第１の価値と残りの第２の価値に分割し、前記記録媒体排出手段は、前記第２の価値が関連付けられた記録媒体を装置内に残し、前記第１の価値が関連付けられた記録媒体を排出することを特徴とする。
【００１２】
また、請求項４の発明は、請求項１の発明において、前記入力手段は、挿入された前記記録媒体に関連付けられた価値の範囲内で、前記装置内に残す記録媒体に関連付ける価値を入力し、前記分割手段は、前記記録媒体に関連付けられた価値を、該価値に対応する金額から前記入力手段で入力された金額を差し引いた金額に対応する第１の価値と残りの第２の価値に分割し、前記記録媒体排出手段は、前記第２の価値が関連付けられた記録媒体を装置内に残し、前記第１の価値が関連付けられた記録媒体を排出することを特徴とする。
【００１３】
また、請求項５の発明は、請求項１の発明において、前記入力手段は、挿入された前記記録媒体に関連付けられた価値の範囲内で、前記記録媒体排出手段により排出する記録媒体に関連付ける価値を入力し、前記分割手段は、前記記録媒体に関連付けられた価値を、前記入力手段で入力された金額に対応する第１の価値と残りの第２の価値に分割し、前記記録媒体排出手段は、前記第２の価値が関連付けられた記録媒体を装置内に残し、前記第１の価値が関連付けられた記録媒体を排出することを特徴とする。
【００１４】
また、請求項６の発明は、請求項１乃至５のいずれかの発明において、第１の関連付けられた価値を有する第１の記録媒体が前記装置内にある状態で第２の関連付けられた価値を有する第２の記録媒体が挿入された場合、前記第１の関連付けられた価値の前記第２の記録媒体への移行処理の取消を指示する取消手段を更に具備し、前記取消手段により前記第１の関連付けられた価値の前記第２の記録媒体への移行処理の取消が指示された場合は、前記第１の関連付けられた価値を前記第２の記録媒体へ移行することなく前記第２の関連付けられた価値を有する第２の記録媒体を返却することを特徴とする。
【００１５】
また、請求項７の発明は、請求項１乃至５のいずれかの発明において、第１の関連付けられた価値を有する第１の記録媒体が前記装置内にある状態で第２の関連付けられた価値を有する第２の記録媒体が挿入された場合、前記第１の関連付けられた価値の前記第２の記録媒体への移行処理を行うか否かの確認表示を行う確認表示手段とを更に具備し、前記確認表示手段による確認表示に対して前記第１の関連付けられた価値の前記第２の記録媒体への移行処理が選択された場合は、前記第１の関連付けられた価値の前記第２の記録媒体への移行処理を実行し、前記第１の関連付けられた価値の前記第２の記録媒体への移行処理の取消が選択された場合は、前記第１の関連付けられた価値を前記第２の記録媒体へ移行することなく前記第２の関連付けられた価値を有する第２の記録媒体を返却することを特徴とする。
【００１６】
また、請求項８の発明は、価値を関連付けられた記憶媒体の挿入もしくは現金投入により予め蓄積収納されている記録媒体に価値を関連付け、該記録媒体に関連付けられた価値に基づき遊技媒体の貸出処理を行う記録媒体処理装置による遊技媒体貸出方法において、前記遊技用記録媒体に関連付けられた価値を分割する価値分割情報を入力手段により入力し、前記入力手段により入力された価値分割情報に基づき前記記録媒体に関連付けられた価値を分割手段により分割し、前記分割手段で分割された一方の価値が関連付けられた記録媒体を前記記録媒体処理装置内に残し、該分割された他方の価値が関連付けられた記録媒体を記録媒体排出手段により排出することを特徴とする。
【発明の効果】
【００１７】
本発明の遊技媒体貸出システムおよび遊技媒体貸出方法によれば、遊技用記録媒体に関連付けられた価値を分割する価値分割情報を入力する入力手段と、入力手段により入力された価値分割情報に基づき記録媒体に関連付けられた価値を分割する分割手段と、分割手段で分割された一方の価値が関連付けられた記録媒体を記録媒体処理装置内に残し、該分割された他方の価値が関連付けられた記録媒体を排出する記録媒体排出手段とを具備するように構成したので、台間カード処理装置に高額紙幣を挿入した際に、おつりとして、挿入した高額紙幣以下の金額で価値付けられた遊技カードを排出させることができるという効果を奏する。
【００１８】
また、本発明の遊技媒体貸出システムおよび遊技媒体貸出方法によれば、遊技用記録媒体に関連付けられた価値を分割する価値分割情報を入力する入力手段と、入力手段により入力された価値分割情報に基づき記録媒体に関連付けられた価値を分割する分割手段と、分割手段で分割された一方の価値が関連付けられた記録媒体を記録媒体処理装置内に残し、該分割された他方の価値が関連付けられた記録媒体を排出する記録媒体排出手段と、第１の関連付けられた価値を有する第１の記録媒体が記録媒体処理装置内にある状態で第２の関連付けられた価値を有する第２の記録媒体が挿入された場合に第１の関連付けられた価値の第２の記録媒体への移行処理の取消を指示する取消手段と、取消手段により第１の関連付けられた価値の第２の記録媒体への移行処理の取消が指示された場合には第１の関連付けられた価値を第２の記録媒体へ移行することなく第２の関連付けられた価値を有する第２の記録媒体を返却するように構成したので、台間カード処理装置内にまだ価値が残っている遊技カードがある状態で間違って遊技カードが挿入された場合には、間違って挿入された遊技カードを挿入された状態の残額のまま排出することができるという効果を奏する。
【発明を実施するための最良の形態】
【００１９】
以下、本発明に係わる遊技媒体貸出システムおよび遊技媒体貸出方法の実施例について添付図面を参照して詳細に説明する。
【００２０】
図１は、本発明に係わる台間カード処理装置（記録媒体処理装置）２００によって構成される遊技媒体貸出システム４００の概略を示す構成図である。
【００２１】
遊技媒体貸出システム４００は、遊技場９０のターミナルコントローラ３０が公衆回線網２０によって中央管理装置１０に接続され、また、同じく遊技場９０のターミナルコントローラ３０が公衆回線網１００によってデビット決済システム１１０に接続されて構成される。
【００２２】
中央管理装置１０は、カード会社の管理の下で、遊技場９０で販売された遊技カードについての情報の管理を行い、該情報を利用して決済等の処理が行われる。
【００２３】
遊技場９０内では、中央管理装置１０に接続される公衆回線網２０にターミナルコントローラ３０が接続され、さらにターミナルコントローラ３０には、カード精算機４０、島コントローラ５０、ルータ６０、デビット専用カード発行機７０、カード発行機８０が接続される。
【００２４】
遊技場９０内では、複数の遊技台３００と複数の台間カード処理装置２００とによって島が形成され、各島には島内の遊技台３００、台間カード処理装置２００を統括管理しターミナルコントローラ３０との情報の中継を行う島コントローラ５０が存在する。
【００２５】
遊技場９０内のルータ６０は、デビット専用カード発行機７０と公衆回線網１００にも接続しており、公衆回線網１００を通してデビット決済システム１１０に接続される。
【００２６】
デビット決済システム１１０は、公衆回線網１００に、情報処理センタ１２０が接続され、情報処理センタ１２０は、ＣＡＦＩＳ(Credit and Finance Informat System)ネットワーク１３０に接続され、ＣＡＦＩＳネットワーク１３０内のクリアリングセンタ１４０によって各銀行１５０間の資金移動が行われ、デビット決済に係わる各銀行１５０間の決済が行われる。
【００２７】
ここで、遊技場９０内に設置される、ターミナルコントローラ３０は、遊技場９０内で販売、利用された遊技カードの情報の管理を行い、発行された遊技カードに関する情報を保存するカード管理ＤＢ(DataBase)３１と発行された会員カードに関する情報を保存する会員管理ＤＢ３２とを備えている。
【００２８】
カード精算機４０は、遊技カードに残存する度数である残度数が存在する場合に、残度数に相当する金額を現金で払い出す処理が行われる。
【００２９】
島コントローラ５０は、管理している島内の台間カード処理装置２００、遊技台３００とターミナルコントローラ３０との情報中継を行う。
【００３０】
ルータ６０は、公衆回線網１００と接続されていて、遊技場９０内のデビットカードで支払われた金額を決済する為に、情報処理センタ１２０に接続された公衆回線網１００との情報のやり取りを中継する。
【００３１】
デビット専用カード発行機７０は、デビットカードを使用して遊技媒体貸出システム４００で使用される遊技カードの発行を行う。
【００３２】
カード発行機８０では、デビットカード以外の現金による支払いが行われて遊技媒体貸出システム４００で使用可能な遊技カードが発行される。
【００３３】
この遊技媒体貸出システム４００で使用される遊技カードは、情報の読み取りが台間カード処理装置２００で行えるＩＣ(Integrated Circuit)カードの形態をとり、全ての遊技カードに一意に識別可能なＩＤ情報が各遊技カードに記録されている。
【００３４】
また、遊技カードには、個人情報を遊技場９０に登録して作成される会員カードと、個人情報を登録することなくカード発行機から一般の遊技客が購入することができる一般カードの２種類がある。
【００３５】
この遊技媒体貸出システム４００では、ＩＣカードである遊技カードが、デビット専用発行機７０或いはカード発行機８０によって発行され、発行された遊技カードの度数に関する価値情報は、該遊技カードのＩＤ情報と該遊技カードに設定された度数の情報とがターミナルコントローラ３０に記録保存されることで、発行された遊技カードに対して価値付けが行われる。
【００３６】
デビット専用発行機７０を利用する遊技客は、デビット専用発行機７０でデビットカードを挿入して暗証番号を入力することでデビット決済を行い、一般カードの新規発行や、会員カードの価値付けを行う。
【００３７】
一般カードが新規発行された際には、一般カードに設定されている識別情報であるＩＤ情報とペアに、入金額に相当する遊技媒体と交換可能な度数の情報がカード管理ＤＢ３１に記録保存されることで、発行された一般カードに価値付けが行われる。
【００３８】
また、会員カードに価値付けが行われる際には、会員カードの識別番号であるＩＤ番号とぺアに、入金額に相当する遊技媒体と交換可能な度数の情報が会員情報ＤＢ３２に記録保存されることで、会員カードへの価値付けが行われる。
【００３９】
デビット専用発行機７０で会員カードに価値付けが行われる際には、遊技客が所有する会員カードをデビット専用発行機７０に挿入することで行われる。
【００４０】
そして、遊技客が、発行された遊技カードを使用して遊技を行う際には、台間カード処理装置２００に遊技カードを挿入し、遊技台３００に備え付けられたボタン等を操作して貸し出された遊技媒体により遊技台３００で遊技を行う。
【００４１】
遊技媒体の貸し出しは、発行されたカードを使用してだけではなく、遊技客が台間カード処理装置２００に現金が投入することによっても行われ、現金が投入された場合には、台間カード処理装置２００内に収納されてる遊技カードに入金額相当の価値付けが行われ、記録された度数に応じて遊技媒体の貸出が可能となる。
【００４２】
遊技客が遊技終了時や遊技台３００の移動時には、遊技台３００に設置された返却スイッチ３０４を押下することで台間カード処理装置２００内の価値付けが行われている遊技カードが台間カード処理装置２００より排出されて、遊技客に返却される。
【００４３】
次に、台間カード処理装置２００および遊技台３００の要部の構成について図２を参照して説明を行う。
【００４４】
図２は、台間カード処理装置２００および遊技台３００の要部の構成を示した模式図である。
【００４５】
図２に示すように、台間カード処理装置２００の要部の構成は、電源部２０１、制御部２０２、カード処理部２０３、紙幣識別部２０４、カードスタック状態表示ＬＥＤ(Light Emitting Diode)２０５、リモコン受光部２０６、紙幣挿入口２０７、カード挿入／排出口２０８、表示装置２０９、操作部２１０である。
【００４６】
遊技台３００の要部の構成は、玉投出機構３０１、表示部３０２、貸出スイッチ３０３、返却スイッチ３０４である。
【００４７】
まず、台間カード処理装置２００の要部を説明する。
【００４８】
電源部２０１は、台間カード処理装置２００に電力を供給し、制御部２０２は、台間カード処理装置２００内の各構成部と接続され、台間カード処理装置２００の動作制御を行う。
【００４９】
さらに、制御部２０２は、台間カード処理装置２００が係わる遊技カードの価値分割処理、残額移行処理、遊技媒体貸出処理等に関する制御を行い、また、台間カード処理装置２００に存在する遊技カードの残額を一時記憶することができる。
【００５０】
カード処理部２０３は、カード挿入／排出口２０８より遊技カードの受け付けて遊技カードに書き込まれたＩＤ情報を読み込むことができ、また、複数枚の遊技カードを収納することができる。
【００５１】
紙幣識別部２０４は、紙幣挿入口２０７から挿入された紙幣について、真偽の識別と価値の識別を行う。
【００５２】
紙幣処理部２０４は複数種の紙幣を受け付けることができ、受け付けた紙幣を識別した結果、異常紙幣、受付不可紙幣と識別された紙幣は紙幣挿入口２０７より排出し、真の紙幣であると識別された紙幣は、紙幣搬送手段によって島内の紙幣回収装置２１９に回収される。
【００５３】
カードスタック状態表示ＬＥＤ２０５は、台間カード処理装置２００内部に、残額のある遊技カードが存在する際にカードスタック状態表示ＬＥＤ２０５を表示して遊技客にその存在を知らせる。
【００５４】
リモコン受光部２０６は、遊技場９０の店員が操作するリモコンから信号を受信する。
【００５５】
紙幣挿入口２０７には、紙幣が挿入され、カード挿入／排出口２０８では、遊技カードの挿入、排出が行われる。
【００５６】
表示装置２０９は、６桁の７セグメントＬＥＤ４１１とモード表示ランプ４１２とメッセージ表示欄４１８とにより、遊技客に対して、遊技カードに価値付けられた度数の残りの度数である残度数、会員カードに貯玉してある総貯玉数等の各種情報を表示する。
【００５７】
操作部２１０は、遊技カードに価値付ける数字を入力するテンキー４１３や、状態表示ＬＥＤ４１１に表示する情報を切り替える情報表示ボタン４１５等で構成される。
【００５８】
さらに、遊技台３００を構成する要部について説明をする。
【００５９】
玉投出機構３０１は、遊技客に貸し出す遊技媒体を投出する。
【００６０】
表示部３０２は、台間カード処理装置２００内に収納された遊技カードに価値付けされた価値に相当する度数が表示されて、遊技客は表示部３０２を視認することで貸出可能な残度数の確認を行うことができる。
【００６１】
貸出スイッチ３０３は、遊技客が遊技媒体の貸出を行う際に、遊技客によって押下が行われる。
【００６２】
返却スイッチ３０４は、遊技客が遊技を終了して、遊技媒体と交換可能な価値である度数が残っている遊技カードを台間カード処理装置２００から排出させるときに、遊技客によって押下が行われる。
【００６３】
この台間カード処理装置２００と遊技台３００とが使用されて遊技が行われる際には、遊技客は、価値付けが行われた遊技カードを台間カード処理装置２００のカード挿入／排出口２０８に挿入して、遊技媒体と交換可能な価値を示す残度数を遊技台３００の表示部３０２に表示させて、そして遊技客より貸出ボタン３０３の押下が行われると玉投出機構３０１から遊技媒体を投出させ遊技客に遊技媒体の貸出を行う。
【００６４】
貸出ボタン３０３の押下が行われて遊技媒体が投出されると、台間カード処理装置２００に挿入された遊技カードのＩＤ情報を管理しているターミナルコントローラ３０で、該遊技カードの価値である度数を貸出ボタン３０３の押下が行われた回数に応じて減少させて、該遊技カードの価値付けの管理が行われる。
【００６５】
遊技客は、玉投出機構３０１より投出させた遊技媒体を使用して遊技を行う。
【００６６】
そして、遊技を終了する際には、遊技客が返却ボタン３０４を押下して、押下が行われた時点での残度数がターミナルコントローラ３０に記録されている遊技カードが、カード挿入／排出口２０８より排出される。
【００６７】
本発明に係わる台間カード処理装置２００では、遊技客は、遊技カードを挿入せずに紙幣挿入口に紙幣を挿入することによって遊技を行うことができる。
【００６８】
そして、紙幣挿入口２０７に高額紙幣が挿入された場合には、遊技客が、高額紙幣の価値の内、所望の価値だけ遊技を行う価値として入金することができ、挿入した高額紙幣の価値から所望の入金価値を引いたおつりとしての残った価値は、カード挿入／排出口２０８から排出される遊技カードに価値付けられて遊技客に渡される。
【００６９】
例えば、遊技客が１００００円の高額紙幣を紙幣挿入口２０７に挿入して、３０００円分だけ遊技を行う為の入金を行ないたい場合には、残りの７０００円分の価値が価値付けられた遊技カードをカード挿入／排出口２０８より排出させて、遊技客に７０００円分の価値が価値付けられた遊技カードが渡されるようにする。
【００７０】
また、本発明に係わる台間カード処理装置２００では、遊技客が遊技を行っている最中に、カード挿入／排出口２０８より遊技カードが追加挿入された場合には、台間カード処理装置内部で、挿入前に台間カード処理装置２００内部にあった遊技カードの価値と挿入された遊技カードの価値とが一枚の遊技カードにまとめられる残額移行処理が行われるが、間違って隣席の遊技客から遊技カードの挿入を受けた場合などで追加挿入を取り消したい場合には、操作部２１０で操作が行われることによって、追加挿入された遊技カードがカード挿入／排出口２０８より排出されることが行われる。
【００７１】
また、本発明に係わる台間カード処理装置２００では、台間カード処理装置２００内にある遊技カードの価値を分割させて、カード挿入／排出口２０８より分割された価値が価値付けられた遊技カードの排出を行わせることができる。
【００７２】
例えば、台間カード処理装置２００内に３０００円分の価値が価値付けられた遊技カードが収納されている場合に、遊技客が、１０００円分の遊技カードを台間カード処理装置２００より排出させて、台間カード処理装置２００内に２０００円分の遊技カードが収納された状態にすることができる。
【００７３】
次に、台間カード処理装置２００の構成と、台間カード処理装置２００と情報のやり取りを行う各種装置について図３を参照して説明を行う。
【００７４】
図３は、台間カード処理装置２００内部の構成と、台間カード処理装置２００と情報のやり取りを行う各種装置について示したブロック図である。
【００７５】
図３に示すように、台間カード処理装置２００は、電源部２０１、制御部２０２、カード処理部２０３、紙幣処理部２０４、リモコン受光部２０６、操作部２１０、記憶部２１１、遊技台３００と情報の授受を行うインタフェース部２１２（以下、図面と共にＩ／Ｆ部２１２と記す）、島コントローラ５０等と情報の授受を行うインタフェース部２１３（以下、図面と共にＩ／Ｆ部２１３と記す）、施錠処理部２１４、表示部２１５を備えている。
【００７６】
ここで、図２を使用して説明した台間カード処理装置２００を構成する各要素と同じ構成を示すブロックについては、同じ符合を付して、同じ機能については説明を省略する。
【００７７】
台間カード処理装置２００内の制御部２０２は、台間カード処理装置２００を構成する各構成部と接続されており、台間カード処理装置２００の動作制御を行う。
【００７８】
カード処理部２０３は、データリード部２１６、カード搬送部２１７、カード収納部２１８を有しており、カード収納部２１８には１０枚程度の遊技カードを収納することが可能で、カード挿入／排出口２０８から遊技カードが挿入されると、カード搬送部２１７が挿入された遊技カードをデータリード部２１６に搬送し、データリード部２１６は搬送された遊技カードのＩＤ情報の読み取りを行う。
【００７９】
紙幣処理部２０４は、図示しない紙幣識別部と図示しない紙幣搬送部とを有しており、紙幣識別部で真であると識別された受け付け可能な紙幣は、図示しない紙幣搬送部によって島内の紙幣回収装置２１９に搬送される。
【００８０】
リモコン受光部２０６は、施錠処理部２１４の解錠／施錠を行う場合等に、遊技場９０の店員が操作する店員用リモコン２１９からの信号の受信を行う。
【００８１】
記憶部２１１には、台間カード制御装置２００の動作制御の際に必要な情報が記憶される。
【００８２】
Ｉ／Ｆ部２１２は、台間カード処理装置２００に接続された遊技台３００との情報の授受を行い、遊技台３００の投出玉数、入賞回数等の情報を受信する。
【００８３】
Ｉ／Ｆ部２１３は、島コントローラ５０を経由してターミナルコントローラ３０と情報の授受を行い、例えば、カード処理部２０３に収納されている遊技カードのＩＤ情報をターミナルコントローラ３０に送信して、ターミナルコントローラ３０から該ＩＤ情報の遊技カードに価値付けされた価値の情報を受信する。
【００８４】
また、Ｉ／Ｆ部２１３は、台間カード処理装置２００に接続された遊技台３００に関する情報について、ホールコンピュータ２２０と情報の授受を行う。
【００８５】
施錠処理部２１４は、ソレノイドを利用した台間カード処理装置２００の錠であり、図示しない開閉検知部を備えて、遊技場９０の店員が操作する店員用リモコン２１９の操作によって解錠／施錠が行われる。
【００８６】
図３に示す表示部２１５は、図２を参照して説明した台間カード処理装置２００の表示装置２０９とカードスタック状態表示ＬＥＤ２０５とを含んでいる。
【００８７】
次に、台間カード処理装置２００に設置された表示装置２０９と操作部２１０について図４を参照して説明を行う。
【００８８】
図４は、台間カード処理装置２００に設置された表示装置２０９と操作部２１０の構成を示した模式図である。
【００８９】
図４に示すように、表示装置２０９には、状態表示ＬＥＤ４１１、モード表示ランプ４１２、メッセージ欄４１８が配置され、操作部２１０には、テンキー４１３、再プレイ操作ボタン４１４、情報表示ボタン４１５、取消操作ボタン４１６、分割ボタン４１７、ＹＥＳボタン４１９、ＮＯボタン４２０が配置される。
【００９０】
状態表示ＬＥＤ４１１は、６桁の７セグメントＬＥＤで構成され、カード処理部２０３に収納されている遊技カードの残度数、総貯玉数、再プレイ可能回数、ポイント数等の各種情報を表示する。
【００９１】
モード表示ランプ４１２は、状態表示ＬＥＤ４１１に示す情報の内容を表示し、カード処理部２０３に収納された遊技カードの価値を示す残度数、会員カードが収納された場合に会員カードに記録された総貯玉数、再プレイ可能回数、ポイント数を示すランプが配置される。
【００９２】
テンキー４１３には、０から９までの数字のキーが配置され、遊技客あるいは遊技場９０の店員の操作によって、各種数字の入力が行われる。
【００９３】
再プレイ操作ボタン４１４は、遊技客が再プレイを所望する際に押下される。
【００９４】
情報表示ボタン４１５は、カード処理部２０３に会員カードが収納されていて遊技客の所望の情報を状態表示ＬＥＤ４１１に表示する際に使用され、情報表示ボタン４１５が押下される度に、モード表示ランプ４１２のランプの点灯場所が変化して、状態表示ＬＥＤ４１１にモード表示ランプ４１２の点灯されたランプの内容である残度数、総貯玉数、再プレイ可能回数、ポイント数の情報が表示される。
【００９５】
取消操作ボタン４１６は、カード処理部２０３に隣の席の遊技客等が誤ってカード挿入／排出口２０８に追加の遊技カードを挿入した場合に、取消操作ボタン４１６の押下が行われることによって、間違って追加挿入された遊技カードの価値は残額移行処理されずに、追加挿入された遊技カードが排出される。
【００９６】
分割ボタン４１７は、分割ボタン４１７の押下が行われることによって、カード処理部２０３に収納された遊技カードの価値を２分割して、２分割した一方の価値が記録された遊技カードをカード挿入／排出口２０８より排出し、２分割された他方の価値が記録された遊技カードをカード処理部２０３内に収納された状態とするように処理が行われる。
【００９７】
メッセージ欄４１８は、台間カード処理装置２００内に残度数のある遊技カードが収納された状態から追加の遊技カードが挿入された際に、追加挿入された遊技カードの価値を示す度数と台間カード処理装置２００内にあった遊技カードの残度数とを合計して追加挿入された遊技カードに価値付ける残額移行処理を行うか否かの確認のメッセージを、遊技客に対して表示する。
【００９８】
ＹＥＳボタン４１９とＮＯボタン４２０とは、メッセージ欄４１８に残額移行処理の確認のメッセージが表示された際に、遊技客が残額移行処理を選択する為に使用され、遊技客が残額移行処理を要求する場合にはＹＥＳボタン４１９の押下が行われ、遊技客が残額移行処理を拒否する場合にはＮＯボタン４２０の押下が行われる。
【００９９】
次に、台間カード処理装置２００を構成しているカード処理部２０３の要部の構成について図５を参照して説明を行う。
【０１００】
図５は、台間カード処理装置２００を構成しているカード処理部２０３の要部の構成について示した模式図である。
【０１０１】
図５に示すように、カード処理部２０３は、データリード部２１６、カード搬送部２１７、カード収納部２１８を備えている。
【０１０２】
カード挿入／排出口２０８から遊技カードが挿入されると、カード搬送部２１７が挿入された遊技カードをカード収納部２１８に搬送する。
【０１０３】
カード収納部２１８では、遊技カードが１０枚程度収納可能であり、カード挿入／排出口２０８から挿入された遊技カードが次々に収納される。
【０１０４】
本発明に係わる台間カード処理装置２００においては、台間カード処理装置２００の運用に際しては、運用前の準備として、カード収納部２１８に予め所定の枚数の、価値付けが行われていない遊技カードが収納される。
【０１０５】
データリード部２１６では、カード収納部２１８に収納された遊技カードの内、カード挿入／排出口２０８に最初に搬送される遊技カードについてＩＤ情報の読取りが行われる。
【０１０６】
カード処理部２０３では、データリード部２１６がＩＤ情報を読み取った遊技カードについて価値付けが行われる。
【０１０７】
データリード部２１６が遊技カードのＩＤ情報を読み取ると、制御部２０２によって、読み取った遊技カードのＩＤ情報と新たに価値付けを行いたい価値の値とがＩ／Ｆ部２１３を通してＴ／Ｃ３０に送信される。
【０１０８】
遊技カードのＩＤ情報と価値の値とを受け取ったＴ／Ｃ３０では、カード情報ＤＢ３１或いは会員情報ＤＢ３２に、受信したＩＤ情報の遊技カードの価値を、受け取った価値の値に記録しなおす。
【０１０９】
このように、Ｔ／Ｃ３０内のカード情報ＤＢ３１或いは会員情報ＤＢ３２にデータリード部２１６で読み取られた遊技カードについての価値が記録されて、該遊技カードに価値付けが行われる。
【０１１０】
次に、台間カード処理装置２００で行われる遊技カードの処理について、数種の処理の概要を図６、図７、図８、図９を参照して説明する。
【０１１１】
まず、基本的な処理として、台間カード処理装置２００に、現金或いは価値付けられた遊技カードが挿入された場合に行われる、カード処理部２０３内の遊技カードへの価値付けの処理について図６を参照して説明する。
【０１１２】
図６は、台間カード処理装置２００に、現金或いは価値付けられた遊技カードが挿入された場合に行われる、カード処理部２０３内の遊技カードへの価値付けの処理について示した概念図であり、図６（ａ）は、台間カード処理装置２００に、現金が挿入された場合に行われる、カード処理部２０３内の遊技カードへの価値付けの処理について示した概念図であり、図６（ｂ）は、台間カード処理装置２００に、価値付けされた遊技カードが挿入された場合に行われる、カード処理部２０３内の遊技カードへの価値付けの処理について示した概念図である。
【０１１３】
図６（ａ）に示すように、台間カード処理装置２００に、現金が紙幣挿入口２０７から挿入されると、挿入された現金が、カード処理部２０３内に収納されている遊技カードに価値付けされる。
【０１１４】
図６（ａ）に示す例では、カード処理部２０３内に１０００円分の価値の遊技カードが収納された状態から、５０００円の現金が挿入されたので、現金がカード処理部２０３内の遊技カードに価値付けされて、結局、カード処理部２０３内には、価値付けされた６０００円分の価値の遊技カードが収納された状態となる。
【０１１５】
なお、挿入された現金が価値付けされる遊技カードは、図６（ａ）に示したように残額のある遊技カードでなく、残額が０の遊技カードであってもよい。
【０１１６】
また、図６（ｂ）に示すように、台間カード処理装置２００に、価値付けられた遊技カードがカード挿入／排出口２０８より挿入されると、挿入された遊技カードに、挿入前にカード処理部２０３内に収納されていた遊技カードの価値が加えられて価値付けが行われる。
【０１１７】
図６（ｂ）に示す例では、カード処理部２０３内に１０００円分の価値の遊技カードが収納された状態から、５０００円分の価値付けられた遊技カードが挿入されたので、挿入された遊技カードに、挿入前にカード処理部２０３内に収納されていた遊技カードの１０００円分の価値が加えられて６０００円の価値付けが行われる。
【０１１８】
なお、価値付けられた遊技カードが挿入される前にカード処理部２０３内に収納されていた遊技カードは、すべて価値付けが行われていない遊技カードであってもよく、その場合は、価値付けられた遊技カードが挿入される前にカード処理部２０３内に収納されている価値付けられた遊技カードがないので、価値付けられた遊技カードが挿入されると、挿入された遊技カードは新たに価値付けが行われることなく、そのままカード処理部２０３に収納される。
【０１１９】
次に、遊技客が台間カード処理装置２００に高額紙幣を挿入した際に、おつりとして、任意の金額分の価値が価値付けされた遊技カードが排出される処理の概要について図７を参照して説明を行う。
【０１２０】
図７は、遊技客が台間カード処理装置２００に高額紙幣を挿入した際に、おつりとして、任意の金額分の価値が価値付けされた遊技カードが排出される処理の概要について示した概念図である。
【０１２１】
まず、運用前の準備が行われた状態で、遊技客が１００００円の高額紙幣を台間カード処理装置２００の紙幣挿入口２０７に挿入すると（参照番号７０１で示す状態）、台間カード処理装置２００のカード処理部２０３に収納された遊技カードの中で、カード挿入／排出口２０８に最初に搬送される遊技カードに対して入金額の１００００円分の価値付けが行われる（参照番号７０２で示す状態）。
【０１２２】
遊技客が、挿入した高額紙幣の１００００円分でなくて高額紙幣以下の例えば３０００円分の価値だけで遊技を楽しみたいと所望する際には、１００００円の高額紙幣を挿入した後に、操作部２１０より分割操作を行うことで７０００円分の価値のある遊技カードがカード挿入／排出口２０８より排出されるようにすることができる。
【０１２３】
遊技客は、１００００円の高額紙幣を挿入した後に、操作部１０より分割操作を行うことでカード処理部２０３内の１００００円に価値付けられた遊技カードの価値の分割処理が行われる（参照番号７０２）。
【０１２４】
遊技客が、分割処理として操作部２１０より所望の入金金額である３０００円分の価値を示す３０００を入力すると、おつりとして７０００円分の価値のある遊技カードがカード挿入／排出口２０８より排出され、そして、カード処理部２０３内に収納される遊技カードには３０００円の価値が価値付けられる（参照番号７０３で示す状態）。
【０１２５】
カード挿入／排出口２０８より排出された７０００円分の価値のある遊技カードは、後で、遊技に使用するか、カード精算機４０を通して現金に払い戻しを行うことができる。
【０１２６】
このように処理されることによって、高額紙幣を持っているが該高額紙幣以下の小額の金額だけで遊技を楽しみたい遊技客が、所望の金額の価値で遊技を楽しむことが可能となり、使いすぎを予防できる。
【０１２７】
次に、台間カード処理装置２００に誤って遊技カードが挿入された場合に、誤って挿入された遊技カードの度数が記録された遊技カードがカード挿入／排出口２０８より排出される処理の概要について図８を参照して説明する。
【０１２８】
図８は、台間カード処理装置２００に誤って遊技カードが挿入された場合に、誤って挿入された遊技カードの度数が記録された遊技カードがカード挿入／排出口２０８より排出される処理の概要について示した概念図である。
【０１２９】
図８の参照番号８０３で示すように、遊技客Ａ８０１が台間カード処理装置２００を使用して遊技を行っている最中に、台間カード処理装置２００に３０００円分の価値のある遊技カードが収納された状態で、隣の遊技客Ｂ８０２が間違って遊技客Ａ８０１が使用している台間カード処理装置２００のカード挿入／排出口２０８に５０００円分の価値のある遊技カードが挿入される。
【０１３０】
すると、カード処理部２０３内では、通常、カード処理部２０３に価値付けられた遊技カードがある状態で追加の遊技カードが挿入された際には、追加挿入された遊技カードに残額移行処理が行われるので、追加挿入されてカード処理部２０３にある遊技カードに８０００円分の価値が価値付けられる（参照番号８０４で示す状態）。
【０１３１】
しかし、遊技客Ａ８０１は、追加挿入された遊技カードは遊技客Ｂ８０２によって間違って挿入された遊技カードであると認識しているので、玉貸処理を行う前に、台間カード処理装置２００の操作部２１０より、行われた残額移行処理を取り消す取消操作を行う（参照番号８０４で示す状態）。
【０１３２】
５０００円の遊技カードが追加挿入された後に、遊技客Ａ８０１が玉貸処理を行わずに、操作部２１０より取消操作が行われると（参照番号８０４で示す状態）、５０００円分の価値のある遊技カードがカード挿入／排出口２０８より排出され、遊技客Ｂ８０２に、該５０００円分の価値のある遊技カードを返却して、遊技客Ａ８０１は、間違って追加挿入される前の、カード処理部２０３に３０００円分の価値のある遊技カードが存在する状態で遊技を行うことができる（参照番号８０５で示す状態）。
【０１３３】
このように処理されることによって、隣の遊技客が間違って遊技カードを追加挿入した場合に、残額移行処理を取り消して、間違って挿入された遊技カードを返却することができる。
【０１３４】
次に、台間カード処理装置２００のカード処理部２０３に残度数のある遊技カードが収納されている状態から、遊技客が収納されている該遊技カードの残度数の価値が所望の値で２分割されて、２分割された一方の価値が価値付けられた遊技カードが台間カード処理装置２００から排出される処理の概要について図９を参照して説明を行う。
【０１３５】
図９は、台間カード処理装置２００のカード処理部２０３に残度数のある遊技カードが収納されている状態から、遊技客が収納されている該遊技カードの残度数の価値が所望の値で２分割されて、２分割された一方の価値が価値付けられた遊技カードが台間カード処理装置２００から排出される処理の概要について示した概念図である。
【０１３６】
図９に示すように、台間カード処理装置２００のカード処理部２０３に、例えば３０００円分の価値の遊技カードが収納されている状態で（参照番号９０１で示す状態）、遊技客が３０００円分の遊技カードの価値の分割を所望する場合には、遊技客は操作部２１０より分割操作を行う（参照番号９０２で示す状態）。
【０１３７】
分割操作に際しては、遊技客は、価値が分割されて遊技カードが排出された後に、カード処理部２０３内に収納される遊技カードの価値の値を操作部２１０より入力する。
【０１３８】
そして、操作部２１０で２０００が入力されると、カード収納部２１８に収納された遊技カードの度数が２分割されて、１０００円分の価値の遊技カードがカード挿入／排出口２０８より排出され、台間カード処理装置２００には、操作部２１０で入力された２０００円分の価値の遊技カードが収納された状態となる（参照番号９０３で示す状態）。
【０１３９】
このように処理されることによって、台間カード処理装置２００に遊技カードを挿入して遊技を行っている遊技客が、挿入している遊技カードの残度数の価値を任意の値で分割して遊技カードとして排出させることができ、台間カード処理装置２００内の任意の価値が価値付けられた遊技カードで遊技を行うことができる。
【０１４０】
排出された遊技カードは、先に所持金を無くした遊技客（友人）に貸したりする運用が可能となる。
【０１４１】
次に、本発明に係わる台間カード処理装置２００で行われる処理の処理フローについて図１０、図１１を参照して説明を行う。
【０１４２】
図１０、図１１は、台間カード処理装置２００で行われる処理の処理フローを示したフローチャートである。
【０１４３】
まず、遊技場９０の店員は、遊技場９０の閉店後或いは開店前に、台間カード処理装置２００に準備作業を行う。
【０１４４】
すなわち、台間カード処理装置２００のカード処理部２０３に０度数の遊技カードが適正な枚数だけ収納されるように、カード処理部２０３へ価値付けの行われていない度数が０の遊技カードが補充され、或いは、カード処理部２０３から収納されている遊技カードの回収が行われる。
【０１４５】
カード処理部２０３への遊技カードの補充、或いは、カード処理部２０３からの遊技カードの回収は、台間カード処理装置２００のカード挿入／排出口２０８を通して行われる。
【０１４６】
この、カード処理部２０３に収納される遊技カードの収納枚数の管理は、運用中であっても、カード処理部２０３に収納された収納枚数を店員が随時チェックして、店員によってカードの補充或いは回収が可能である。
【０１４７】
遊技場９０の閉店後或いは開店後に、台間カード処理装置２００の準備作業が完了すると、運用準備が完了し、遊技場９０の運用が開始される。
【０１４８】
遊技場９０の運用が開始されると、台間カード処理装置２００で、カード挿入／排出口２０８での遊技カードの受け付けを許可する状態となり（ステップ１００１）、紙幣挿入口２０７からの紙幣の受け付けを許可する状態となる（ステップ１００２）。
【０１４９】
遊技カードと紙幣の受付を許可する状態となると、台間カード処理装置２００で各種処理が可能となる。
【０１５０】
まず、図７を参照して説明した、台間カード処理装置２００で行われる、高額紙幣が挿入された後におつりとして任意の価値の遊技カードが排出される処理について説明する。
【０１５１】
遊技カードと紙幣の受付が許可された台間カード処理装置２００に対して、紙幣挿入口２０７より紙幣の挿入が行われると（ステップ１００３でＹＥＳ）、カード処理部２０３に収納されている遊技カードの中でカード挿入／排出口２０８に最初に搬送される遊技カードに対して挿入された紙幣の金額分の価値付けが行われる（ステップ１００４）。
【０１５２】
例えば、１００００円の紙幣の挿入が行われると、カード処理部２０３の遊技カードに１００００円分の価値付けが行われて、遊技媒体の貸出が可能な状態となる。
【０１５３】
そして、ステップ１００３で挿入された紙幣が予め設定された金額以上の高額紙幣であった場合には（ステップ１００５でＹＥＳ）、カード処理部２０３内のステップ１００４で価値付けが行われた１００００円分の価値のある遊技カードの価値の分割が行えるように操作部２１０のテンキー４１３による入力が有効に設定される（ステップ１００６）。
【０１５４】
本実施例では、高額紙幣を５０００円と１００００円と定め、ステップ１００３で判別される金額は、３０００円以上の紙幣であるか否かが判別される。
【０１５５】
テンキー４１３が有効とされる設定は、制御部２０２内でテンキー４１３からの入力を有効にするフラグを立てることで行われる。
【０１５６】
また、ステップ１００３で挿入された紙幣が予め設定された３０００円以上の高額紙幣でなかった場合には（ステップ１００５でＮＯ）、操作部２１０のテンキー４１３からの入力はデフォルトの無効のままの状態である。
【０１５７】
遊技客は、紙幣挿入口２０７に１００００円の高額紙幣を挿入した後に、おつりとして、挿入した高額紙幣から所望の金額分が価値付けされた遊技カードの排出を望む際には、操作部２１０のテンキー４１３より台間カード処理装置内に残す遊技カードの価値を入力する（ステップ１００７でＹＥＳ）。
【０１５８】
例えば、台間カード処理装置２００に３０００円分の価値の遊技カードを残して７０００円分の価値の遊技カードの排出を所望する際には、遊技客はテンキ−４１３より３０００の入力を行う（ステップ１００７でＹＥＳ）。
【０１５９】
遊技客によって３０００のテンキー４１３の押下が行われると（ステップ１００７でＹＥＳ）、制御部２０２内のテンキー４１３に関するフラグが参照されてテンキーが有効になっているか否かの判断が行われる（ステップ１００８）。
【０１６０】
テンキー４１３が有効になっている場合には（ステップ１００８でＹＥＳ）、次に、テンキー４１３よって入力された数字は、カード処理部２０３内に収納されている遊技カードに価値付けされた金額以下の数字であるか否かの判断が制御部２０２によって行われる（ステップ１００９）。
【０１６１】
制御部２０２が判断した結果、テンキー４１３によって入力された数字（３０００）が、カード処理部２０３内に収納されている遊技カードに価値付けされた金額（１００００円）の数字以下であると判断されると（ステップ１００９でＹＥＳ）、テンキー４１３によって入力された数字（３０００）が記憶部２１１に記憶され、また、カード処理部２０３に収納されている遊技カードの価値（１００００円分）からステップ１００７で入力された数字で示される金額分（３０００円分）を引いた価値を示す数字が制御部２０２によって算出される（ステップ１０１０）。
【０１６２】
記憶部２１１にテンキー４１３によって入力された数字（３０００）が記憶され、制御部２０２によって数字（７０００）が算出されると、制御部２０２によって算出された数字（７０００）で、カード収納部２１８内のカード挿入／排出口２０７に最初に排出される遊技カードに価値付けが行われる。
【０１６３】
ステップ１０１０で制御部２０２で算出された数字（７０００）が遊技カードに価値付けられると、価値付けられた遊技カード（７０００円分の価値を有する）がカード挿入／排出口２０７より排出される（ステップ１０１１）。
【０１６４】
カード挿入／排出口２０７より価値付けられた遊技カードが排出されると、カード収納部２１８に収納された遊技カードの中のカード挿入／排出口２０７に最初に排出される遊技カードに対して、ステップ１０１０で記憶部２１１に記憶した数字（３０００）で価値付けが行われる（ステップ１０１２）。
【０１６５】
ステップ１０１０で記憶部２１１に記憶した数字は、ステップ１００７でテンキー４１３によって入力された数字であるので、結局、テンキー４１３で入力された数字によって価値付けられた遊技カード（３０００円分の価値を有する）が、カード収納部２１８に収納されることになる。
【０１６６】
このようにステップ１００３からステップ１０１２までの処理が行われることによって、遊技客が台間カード処理装置２００に高額紙幣を挿入した時におつりを所望する場合には、遊技客がテンキー４１３で任意の数字を入力することによって、高額紙幣を挿入した後のおつりを価値付けが行われた遊技カードとして台間カード処理装置２００より排出させて、テンキー４１３で入力された数字が価値付けられた遊技カードが台間カード処理装置２００内に収納され、台間カード処理装置２００に収納された該遊技カードによって遊技媒体の貸出が行われる状態となる。
【０１６７】
次に、図８を参照して説明した、台間カード処理装置２００に誤って遊技カードが挿入された場合に、後挿入によって発生する残額移行処理を取り消して、誤って挿入された遊技カードがカード挿入／排出口２０８より排出される処理について説明する。
【０１６８】
台間カード処理装置２００は、遊技カードと紙幣の受付が許可された状態（ステップ１００２が終了）であり、台間カード処理装置２００のカード収納部２１８には、３０００円分の価値の遊技カードが収納されているとして説明を行う。
【０１６９】
台間カード処理装置２００（ステップ１００２が終了）に対して、カード挿入／排出口２０８に遊技カードが挿入されると（ステップ１０１３でＹＥＳ）、ステップ１０１３で遊技カードが挿入される前に、カード処理部２０３に収納されている遊技カードに残額がのこっている場合には、収納されている遊技カードの残度数に挿入された遊技カードの度数を加える残額移行処理が必要であると判断され（ステップ１０１４でＹＥＳ）、以下のように、残額移行処理が行われる。
【０１７０】
つまり、残額移行処理として、台間カード処理装置２００に挿入された遊技カードの度数が記憶部２１１に記憶され、ステップ１０１３で挿入された遊技カードの度数と制御部２０２に記憶していたカード処理部２０３に収納されていた遊技カードの残度数とが、制御部２０２によって合計され、合計された度数が、ステップ１０１３で挿入されてカード収納部２１８に収納している遊技カードのうちカード挿入／排出口２０８に最初に排出される遊技カードに価値付けされる（ステップ１０１５）。
【０１７１】
ステップ１０１３に挿入された遊技カードにカード収納部２１８に収納されていた遊技カードの度数が加えられて価値付けされる残額移行処理が行われると（ステップ１０１５）、残額移行処理で遊技カードに価値付けされた度数が台間カード処理装置２００の表示部２０９に表示される移行確認表示が行われる（ステップ１０１６）。
【０１７２】
ステップ１０１６で移行確認表示がなされると、操作部２１０の取消操作ボタン４１６からの入力が有効に設定される（ステップ１０１７）。
【０１７３】
取消操作ボタン４１６が有効とされる設定は、制御部２０２内で取消操作ボタン４１６からの入力を有効にするフラグを立てることで行われる。
【０１７４】
そして、遊技客によって、操作部２１０の取消操作ボタン４１６の押下が行われると、制御部２０２が取消操作ボタン４１６の押下を検知して（ステップ１０１８でＹＥＳ）、制御部２０２内の取消操作ボタン４１６に関するフラグが参照されて取消操作ボタン４１６が有効なっているか否かの判断が行なわれ（ステップ１０１９）、取消操作ボタン４１６が有効と設定されている場合には（ステップ１０１９でＹＥＳ）、記憶部２１１に記憶されている前回の残高移行処理の際に挿入された遊技カードの度数が制御部２０２によって参照され、前回の残高移行処理の際に挿入された遊技カードの度数が、カード収納部２１８に収納されていて最初に排出される遊技カードに価値付けされる（ステップ１０２０）。
【０１７５】
そして、価値付けが行われた遊技カードがカード搬送部２１７によってカード挿入／排出口２０８より排出される（ステップ１０２１）。
【０１７６】
そして、カード挿入／排出口２０８より遊技カードが排出されると、制御部２０２が一時記憶していた、前回の残高移行処理の際にカード処理部２０３に収納されていた遊技カードの残度数が、カード収納部２１８に収納されていて最初に排出される遊技カードに価値付けされる（ステップ１０２２）。
【０１７７】
このように、ステップ１０１３からステップ１０２２までの処理によって、遊技中の台間カード処理装置２００に、間違って遊技カードが追加挿入された場合に、間違って挿入された遊技カードの排出の処理が行われる。
【０１７８】
次に、上述のように間違って遊技カードを追加挿入する場合ではなく、遊技を行っている遊技客が台間カード処理装置２００に遊技継続の為に遊技カードを追加挿入する場合について、説明を行う。
【０１７９】
台間カード処理装置２００のカード挿入／排出口２０８に追加の遊技カードが挿入された場合には、上述のようにステップ１０１３から１０１７までの処理が行われて、取消操作ボタン４１６が有効と設定されるが、遊技カードの挿入が間違いでない場合には取消操作ボタン４１６の押下は行われずに、遊技媒体の貸出処理を促す貸出ボタンの押下が遊技台３００より行われる。
【０１８０】
台間カード処理装置２００のＩ／Ｆ部２１２が遊技台３００での貸出ボタン３０３の押下の信号を受信して、制御部２０２が貸出ボタン３０３が１回押下されたのを検知すると（ステップ１０２５でＹＥＳ）、台間カード処理装置２００のカード処理部２０３に収納されている遊技カードに価値付けされた度数から１回分の貸出処理に必要な度数の減算が行われて、算出された度数がカード処理部２０３に収納されている該遊技カードに価値付けされる（ステップ１０２６）。
【０１８１】
カード処理部２０３に収納されている遊技カードの度数が新たに価値付けされると、台間カード処理装置２００の制御部２０２は、１回分の遊技媒体の貸出命令をＩ／Ｆ部２１２より遊技台３００に送信し、遊技台３００の玉投出機構３０１より１回分の遊技媒体の投出を行わせる（ステップ１０２７）。
【０１８２】
そして、テンキー４１３、取消操作ボタン４１６の入力を無効とする設定を制御部２０２が行う。
【０１８３】
テンキー４１３、取消操作ボタン４１６の入力を無効とする設定は、制御部２０２がテンキー４１３と取消操作４１６を有効とするフラグを消すことで行われる（ステップ１０２８）。
【０１８４】
このように、ステップ１０１３から１０１７までの処理、そして、ステップ１０２５から１０２８までの処理によって、台間カード処理装置２００に、遊技を行っている遊技客によって遊技継続の為に遊技カードが追加挿入された場合に、取消処理と混同されることなく追加挿入された遊技カードの度数がカード処理部２０３に収納されていた遊技カードの度数と合計される移行処理が行われて、貸出処理が可能となる。
【０１８５】
次に、図９を参照して説明した、カード処理部２０３内に度数が残っている遊技カードが収納された状態から、収納されている該遊技カードの残度数が分割されて、分割された度数が記録された遊技カードが台間カード処理装置２００より排出される処理について説明する。
【０１８６】
遊技客が、台間カード処理装置２００のカード処理部２０３に収納された遊技カードの残度数を分割して、分割された度数が記録された遊技カードを台間カード処理装置２００から排出させるのを所望する場合には、遊技客は、操作部２１０の分割ボタン４１７の押下を行う。
【０１８７】
台間カード処理装置２００の分割ボタン４１７の押下が行われると（ステップ１０２３でＹＥＳ）、制御部２０２は、テンキー４１３の入力を有効にするフラグを立てて、テンキー４１３を有効にする設定を行う（ステップ１０２４）。
【０１８８】
なお、台間カード処理装置２００は、デフォルトでは、テンキー、取り消し操作ボタンは、入力無効に設定されており、ステップ１０２４のようにフラグを立てる処理が行われて初めて入力が有効に設定される。
【０１８９】
そして、遊技客は、分割後にカード処理部２０３に収納される遊技カード価値付けされる所望の度数をテンキー４１３より入力する。
【０１９０】
遊技客によって、テンキー４１３より数字の入力が行われると（ステップ１００７でＹＥＳ）、制御部２０２によってテンキー４１３を有効にするフラグがたっているか否かが判断され（ステップ１００８で）、テンキー４１３が有効になっている場合には（ステップ１００８でＹＥＳ）、ステップ１００７でテンキー４１３によって入力された数字が有効な範囲であるか否かが制御部２０２によって判断される（ステップ１００９）。
【０１９１】
有効範囲にあるか否かの判断は、テンキー４１３によって入力された数字が、カード収納部２１８に収納されている遊技カードの残度数以下である場合に有効範囲にあると判断される（ステップ１００９）。
【０１９２】
有効範囲であると判断されると（ステップ１００９でＹＥＳ）、カード収納部２１８に収納されている遊技カードの残度数からステップ１００７で入力が行われた数字に基づいて入力される度数を引いた度数が算出され（ステップ１０１０）、カード処理部２０３に収納されている遊技カードのうちカード挿入／排出口２０８に最初に排出される遊技カードにステップ１０１０で算出された度数の価値付けが行われ、価値付けが行われた遊技カードがカード搬送部２１７によってカード挿入／排出口２０８より排出される（ステップ１０１１）。
【０１９３】
カード挿入／排出口２０８より遊技カードが排出されると（ステップ１０１１）、カード収納部２１８に収納されていて最初に排出されるカードに対して、ステップ１００７のテンキー４１３の押下によって入力された数字で価値付けが行われる（ステップ１０１２）。
【０１９４】
このようにして、カード処理部２０３に収納されている遊技カードの度数が分割され、分割された度数の価値付けが行われた遊技カードが台間カード処理装置２００より排出され、数値入力された度数が価値付けされた遊技カードが台間カード処理装置２００内に残り、残った遊技カードは遊技媒体の貸し出しに使用される。
【０１９５】
次に、台間カード処理装置２００において行われる、通常の遊技媒体の貸出処理について説明を行う。
【０１９６】
台間カード処理装置２００のＩ／Ｆ部２１２が遊技台３００での貸出ボタン３０３の押下の信号を受信して、制御部２０２が貸出ボタン３０３が１回押下されたのを検知すると（ステップ１０２５でＹＥＳ）、台間カード処理装置２００のカード処理部２０３に収納されている遊技カードに記録されている度数から１回分の貸出処理に必要な度数を減算する処理が行われ、算出された度数がカード処理部２０３に収納されている該遊技カードに価値付けされる（ステップ１０２６）。
【０１９７】
カード処理部２０３に収納されている遊技カードに度数が新たに価値付けされると、台間カード処理装置２００の制御部２０２は、遊技台３００に１回分の遊技媒体の貸出命令をＩ／Ｆ部２１２より送信し、遊技台３００の玉投出機構３０１より１回分の遊技媒体の投出が行われる（ステップ１０２７）。
【０１９８】
そして、テンキー４１３、取消操作ボタン４１６を有効にするフラグが立っていると、フラグを除去して、テンキー４１３の入力を無効とする設定が制御部２０２内で行われる（ステップ１０２８）。
【０１９９】
このように、ステップ１０２５から１０２８まで処理が行われることによって、遊技台３００で遊技媒体の貸出処理が行われる。
【０２００】
なお、台間カード処理処理２００では、カード収納部２１８に度数の残った遊技カードが収納されている際に、カード挿入／排出口２０８より追加の遊技カードが挿入されると、挿入前にカード収納部２１８に収納されていた遊技カードの度数に、挿入された遊技カードの度数を合計する残額移行処理が行われるように説明したが、残額移行処理が行われる前に台間カード処理装置２００が操作者に対して残額移行処理の確認を求め、該確認の後に、残額移行処理が行われるようにすることもできる。
【０２０１】
次に、操作者に対して残額移行処理の確認を行った後に、操作者から確認を得てから残額移行処理が行われる残額移行処理について図１２を参照して説明を行う。
【０２０２】
図１２は、台間カード処理装置２００のカード収納部２１８に度数の残っている遊技カードが収納されている際に、カード挿入／排出口２０８より度数が記録された追加の遊技カードが挿入されると、台間カード処理装置２００の操作者に対して残額の移行処理を行ってよいか否かの確認を求めて、操作者より確認を得てから残額移行処理を行う処理の概要について示した概念図である。
【０２０３】
まず、台間カード処理装置２００のカード処理部２０３に度数の残っている遊技カードが収納されている場合に、カード挿入／排出口２０８より度数が記録された遊技カードが挿入されると（参照番号１２００で示す状態）、台間カード処理装置２００の表示部２０９のメッセージ欄４１８に「残額移行の処理を行っていいですか？」と表示が行われる（参照番号１２０１で示す状態）。
【０２０４】
メッセージが表示された後に、残額移行の処理を望む要求が操作者より行われると、遊技カードの挿入前にカード処理部２０３に収納されていた遊技カードの残度数に、挿入された遊技カードの度数を足した合計の度数が、挿入されてカード収納部２１８に収納された遊技カードに価値付けされる（参照番号１２０２で示す状態）。
【０２０５】
このようにして、挿入された遊技カードの度数と、カード処理部２０３に収納されてあるカードの度数が合計される。
【０２０６】
また、参照番号１２０１で示すようにメッセージ欄４１８に残額確認メッセージが表示された後に、残額移行の処理を望まない要求が操作部２１０で操作者より行われた場合には、挿入された遊技カードを挿入された時点の度数のまま排出して返却し、カード収納部２１８には、カード挿入前に収納されていた遊技カードがそのままの度数で収納されて遊技媒体貸出処理に使用される（参照番号１２０３で示す状態）。
【０２０７】
なお、台間カード処理装置２００に挿入された遊技カードと収納されていた遊技カードの度数を合計する残額移行処理が行われた状態（参照番号１２０２で示す状態）から、遊技媒体の貸出処理が行われない状態で、操作部２１０の取消操作ボタン４１６の押下が行われると、残額移行の処理を取り消すように、状態１２００で挿入された遊技カードに挿入時の度数が価値付けられてカード挿入／排出口２０８より排出され、カード処理部２０３内には、状態１２００で遊技カード挿入前にカード処理部２０３内に存在した遊技カードの残度数がカード処理部２０３内に収納している遊技カードに価値付けられて遊技媒体貸出処理に使用される。
【０２０８】
このようにして、状態１２００で挿入された遊技カードは排出されて返却され、カード処置部２０３は遊技カードが挿入される前と同じ状態となる。
【０２０９】
次に、台間カード処理装置２００に追加の遊技カードが挿入されて、操作者に対して残額移行処理の確認を求めて、操作者から確認を得てから残額移行処理が行われる処理の処理フローについて図１３を参照して説明を行う。
【０２１０】
図１３は、台間カード処理装置２００に追加の遊技カードが挿入されて、操作者に対して残額移行処理の確認を求めた、操作者から確認を得てから残額移行処理が行われる処理の処理フローを示したフローチャートであり、台間カード処理装置２００の処理フローである図１０に示すフローチャートでは、参照番号１０５０で囲まれた個所が図１３に示すフローチャートに置き換わった状態である。
【０２１１】
台間カード処理装置２００のカード挿入／排出口２０８に遊技カードが挿入されると（ステップ１３０１でＹＥＳ）、ステップ１３０１で遊技カードが挿入される前に、カード処理部２０３に収納されている遊技カードに度数が残っている場合には残額移行の必要があるので（ステップ１３０２でＹＥＳ）、収納されている遊技カードに残っている残度数に、挿入された遊技カードの度数を加える残額移行処理を行うか否かの選択を操作者に求める為に、メッセージ欄４１８に「移行していいですか？」というメッセージを表示する（ステップ１３０３）。
【０２１２】
メッセージ欄４１８にメッセージを表示した後、操作者がＹＥＳボタン４１９を押下することによって、残額移行処理を行うように選択されたら（ステップ１３０４でＹＥＳ）、ステップ１３０１で挿入された遊技カードの度数と制御部２０２に記憶していたカード処理部２０３に収納されていた遊技カードの残度数とが、制御部２０２によって合計され、合計された度数が、ステップ１３０１で挿入されてカード収納部２１８に収納している遊技カードのうちカード挿入／排出口２０８に最初に排出される遊技カードに価値付けされる（ステップ１３０５）。
【０２１３】
ステップ１３０１で挿入された遊技カードに、カード収納部２１８に収納されていた遊技カードの度数と挿入された遊技カードの度数との合計の度数が価値付けされる残額移行処理が行われると（ステップ１３０５）、残額移行処理で遊技カードに価値付けされた度数が台間カード処理装置２００の表示部２０９に表示される移行確認表示が行われる（ステップ１３０６）。
【０２１４】
移行確認表示がなされると（ステップ１３０６）、操作部２１０の取消操作ボタン４１６からの入力が有効に設定される（ステップ１３０７）。
【０２１５】
また、ステップ１３０３でメッセージを表示した後に、操作者によってＮＯボタン４２０の押下が行われると（ステップ１３０４でＮＯ）、ステップ１３０１で挿入された遊技カードを排出して操作者に返却し（ステップ１３０８）、カード収納部２１８には、カード挿入前に収納されていた遊技カードがそのままの度数で収納され、収納された遊技カードが遊技媒体貸出処理に使用される。
【０２１６】
なお、ステップ１３０３で移行確認表示を行った後、ＹＥＳボタン４１９の押下によって、残額移行処理が行われると、ステップ１３０７で取消キーが有効になるので、遊技媒体の貸出処理が行われる前に（図１１のステップ１０２５でＹＥＳとならずに）、取消操作ボタン４１６の押下が行われると（図１１のステップ１０１８でＹＥＳ）、行われた残額移行処理を取り消す処理が行われ、ステップ１３０１で挿入された遊技カードが挿入された時点の度数が価値付けされて排出され（図１１のステップ１０１９でＹＥＳ、ステップ１０２０、１０２１）、カード処理部２０３に収納されている遊技カードに価値付けが行われ（ステップ１０２２）、残額移行処理が行われる前の状態に戻る。
【０２１７】
なお、本実施例においては、テンキー４１３で入力される度数（ステップ１００７）は、台間カード処理装置２００より排出される（ステップ１０１１）遊技カードに価値付けされる度数ではなく、台間カード処理装置２００に収納されて遊技媒体貸し出し処理に使用される遊技カードに価値付けされる度数であるように説明したが、逆の形式でもよく、つまり、ステップ１００７でテンキー４１３によって入力される度数は、台間カード処理装置２００より排出される（ステップ１０１１）遊技カードに価値付けされる度数であり、台間カード処理装置２００に収納されて遊技媒体貸し出し処理に使用される遊技カードに価値付けされる度数は、ステップ１００７の時点で台間カード処理装置２００に収納されていた遊技カードの度数からステップ１００７で入力された数字を引いた度数となるように構成してもよい。
【０２１８】
なお、記憶部２１１に記憶される内容は、制御部２０２で一時記憶するようにしてもよい。
【産業上の利用可能性】
【０２１９】
この発明は、遊技カードの情報を管理するターミナルコントローラと連携して遊技カードの価値付けを行う台間カード処理装置を有する遊技媒体貸出システムにおいて利用可能である。
【０２２０】
この発明によれば、台間カード処理装置に隣の遊技客が間違って遊技カードを挿入した場合に、間違って挿入された遊技カードを挿入された状態の残額のまま排出して返却することができる。
【図面の簡単な説明】
【０２２１】
【図１】遊技媒体貸出システム４００の構成図。
【図２】台間カード処理装置２００および遊技台３００の要部の構成を示した模式図。
【図３】台間カード処理装置２００の内部の構成等を示したブロック図。
【図４】表示装置２０９と操作部２１０の構成を示した模式図。
【図５】カード処理部２０３の要部の構成を示した模式図。
【図６】現金或いは価値付けられた遊技カードが挿入された場合に処理について示した概念図。
【図７】高額紙幣が挿入されて、おつりの遊技カードが排出される処理を示した概念図。
【図８】誤って挿入された遊技カードが排出される処理を示した概念図。
【図９】遊技カードの度数が２分割されて、遊技カードとして排出される処理を示した概念図。
【図１０】台間カード処理装置２００で行われる処理フローを示したフローチャート。
【図１１】台間カード処理装置２００で行われる処理フローを示したフローチャート。
【図１２】操作者より確認を得てから行われる残額移行処理について示した概念図。
【図１３】操作者より確認を得てから行われる残額移行処理の処理フローを示したフローチャート。
【符号の説明】
【０２２２】
２００    台間カード処理装置
２０１    電源部
２０２    制御部
２０３    カード処理部
２０４    紙幣処理部
２０５    カードスタック状態表示ＬＥＤ
２０６    リモコン受光部
２０７    紙幣挿入口
２０８    カード挿入／排出口
２０９    表示部
２１０    操作部
２１１    記憶部
２１２    インタフェース部
２１３    インタフェース部
２１４    施錠処理部
２１５    表示部
２１６    データリード部
２１７    カード搬送部
２１８    カード収納部
２１９    紙幣回収装置
３００    遊技台
３０１    玉投出機構
３０２    表示部
３０３    貸出ボタン
３０４    返却スイッチ
４１１    状態表示ＬＥＤ
４１２    モード表示ランプ
４１３    テンキー
４１４    再プレイ操作ボタン
４１５    情報表示ボタン
４１６    取消操作ボタン
４１７    分割ボタン
４１８    メッセージ欄
４１９    ＹＥＳボタン
４２０    ＮＯボタン
【図１】
2007209677.tif 000003
【図２】
2007209677.tif 000004
【図３】
2007209677.tif 000005
【図４】
2007209677.tif 000006
【図５】
2007209677.tif 000007
【図６】
2007209677.tif 000008
【図７】
2007209677.tif 000009
【図８】
2007209677.tif 000010
【図９】
2007209677.tif 000011
【図１０】
2007209677.tif 000012
【図１１】
2007209677.tif 000013
【図１２】
2007209677.tif 000014
【図１３】
2007209677.tif 000015